(57)【要約】【課題】治療時の不確かさに対するロバスト性を考慮した治療計画を従来より簡便に作成することができる治療計画装置を提供する。【解決手段】  ロバスト項の重要度ｗを変化させて最適化計算を実施し、得られた線量分布をデータ格納装置２０６に格納しておく。操作者がロバスト項の重要度ｗをＧＵＩ上のスライダー８０１Ａを移動させることで設定すると、設定されたロバスト項の重要度ｗに最も近いパラメータを用いて計算した線量分布をデータ格納装置２０６から探索し、設定された重要度ｗにおける線量分布を補間により求める。その上で、求めた線量分布等からＤＶＨ８０２Ａ，８０２ＢおよびＤＶＨバンド８０３Ａ，８０３Ｂを求め、表示装置２０３上に表示する。【選択図】  図８
2018187089.tif 000002
【特許請求の範囲】
【請求項１】
放射線治療の治療計画を作成する治療計画装置であって、
標的に照射される放射線の線量分布のロバスト性に関連するパラメータを変更・入力する入力部と、
指定された数だけロバスト性に関連するパラメータを変化させた線量分布を予め演算し、前記入力部で入力されたパラメータが最も近い線量分布から入力されたパラメータでの線量分布を補間演算し、補間演算によって求めた線量分布からＤＶＨおよび誤差が発生する条件下におけるＤＶＨであるＤＶＨバンドを演算する演算部と、
前記演算部で演算された前記ＤＶＨおよび前記ＤＶＨバンドを表示する表示部と、を備えた
ことを特徴とする治療計画装置。
【請求項２】
請求項１に記載の治療計画装置において、
前記演算部は、補間演算されたＤＶＨに基づいて、前記線量分布を演算する
ことを特徴とする治療計画装置。
【請求項３】
請求項１に記載の治療計画装置において、
前記表示部は、選択されたＤＶＨバンドの発生条件を表示する
ことを特徴とする治療計画装置。
【請求項４】
請求項１に記載の治療計画装置において、
前記演算部は、操作者の指示に基づいて前記ＤＶＨを規格化処理し、
前記表示部は、規格化処理されたＤＶＨとその時のＤＶＨバンドとを表示する
ことを特徴とする治療計画装置。
【請求項５】
請求項４に記載の治療計画装置において、
前記演算部は、前記ＤＶＨバンドを前記ＤＶＨとする規格化処理を行う
ことを特徴とする治療計画装置。
【請求項６】
請求項１に記載の治療計画装置において、
前記演算部において指定された数だけ演算された、ロバスト性に関連するパラメータを変化させた線量分布を記憶する記憶部を更に備えた
ことを特徴とする治療計画装置。
【請求項７】
請求項１に記載の治療計画装置において、
前記表示部には、前記パラメータを調整するためのスライダーバーが表示され、
前記入力部を操作して前記スライダーバー上のスライダーを移動させることで前記パラメータの変更・入力を行う
ことを特徴とする治療計画装置。
【請求項８】
請求項１に記載の治療計画装置において、
前記ロバスト性に関連するパラメータは、処方線量からのずれを数値化した目的関数中のロバスト項の重要度または前記ロバスト項の目的関数値である
ことを特徴とする治療計画装置。
【請求項９】
標的に照射される放射線の線量分布のロバスト性に関連するパラメータを変更・入力する入力部と、
前記入力部で入力されたパラメータにおける線量分布を演算し、演算した線量分布からＤＶＨおよび誤差が発生する条件下におけるＤＶＨであるＤＶＨバンドを演算する演算部と、
前記演算部で演算された前記ＤＶＨおよび前記ＤＶＨバンドを表示する表示部と、を備え、
前記表示部には、前記パラメータを変更・入力するための調整部が表示され、
前記入力部を操作して前記調整部を変更することで前記パラメータの変更・入力を行う
ことを特徴とする治療計画装置。
【発明の詳細な説明】
【技術分野】
【０００１】
本発明は治療計画装置に関するものである。
【背景技術】
【０００２】
放射線治療では標的となる腫瘍細胞に対して放射線を照射することによって治療を行う。放射線を用いる治療の中ではＸ線が最も広く利用されているが、標的への線量集中性が高い陽子線や炭素線に代表される粒子線（荷電粒子ビーム）を利用した治療への需要が高まっている。
【０００３】
放射線治療では、過度の照射や照射量の不足は腫瘍以外の正常組織への副作用や腫瘍の再発につながる可能性がある。そのため、粒子線治療装置においても、腫瘍領域に対してできるだけ正確に、かつできるだけ集中するように、指定した線量だけ放射線を照射することが求められる。
【０００４】
粒子線治療では、線量を集中させる方法として、スキャニング法の利用が広がりつつある。これは細い粒子ビームを二組の走査電磁石により偏向させ、平面内の任意の位置に導くことで腫瘍内部を塗りつぶすように照射し、腫瘍領域にのみ高い線量を付与するという方法である。
【０００５】
スキャニング法を実現するためには、実際の照射前に治療計画装置を用いて計画を作成する過程が極めて重要となる。治療計画装置は、ＣＴ画像等から得られる患者体内の情報を基に、患者体内での線量分布を数値計算によりシミュレートする装置である。操作者は治療計画装置の計算結果を参照しながら、粒子線を照射する方向やビームエネルギー，照射位置，照射量等の照射条件を決定する。以下に、その一般的な過程を述べる。
【０００６】
操作者は、はじめに放射線を照射すべき標的領域を入力する。主としてＣＴ画像を用い、画像の各スライスに標的となる領域を入力する。入力したデータは、操作者が治療計画装置に登録することで３次元の領域データとして治療計画装置上のメモリに保存される。必要があれば、重要臓器の位置も同様に入力し登録する。
【０００７】
次に、操作者は、登録した各々の領域について目標とすべき線量値となる処方線量を設定する。設定は先に登録された標的領域、および重要臓器に対して行う。例えば、標的領域であれば腫瘍を壊死させるのに十分な線量が指定される。多くの場合、標的領域に照射されるべき線量値を指定する。一方、重要臓器に関しては、耐えうる最大の線量値として許容線量を定める。操作者に指定された線量分布を実現するためのビーム照射位置や照射量は、治療計画装置により決定される。通常は、初めに照射位置を決定し、その後、操作者の入力した線量分布条件を満たすように照射量を決定する。
【０００８】
照射量を効率よく決定する方法として、非特許文献１に記載のように、関心領域（標的、危険臓器）内に配置した線量評価点ｉにおける線量ｄｉと処方線量ｐからのずれを数値化した目的関数Ｆｄ（式（１）参照）を用いる方法が広く採用されている。
【０００９】
【数１】
2018187089.tif 000003
【００１０】
この目的関数は、線量制約の達成度を表す目的関数（線量制約項）であり、線量分布が処方線量を満たすほど小さな値となるように定義されている。これを最小にするようなスポット照射量を反復計算により探索することで、最適とされる照射量を算出する。
【先行技術文献】
【特許文献】
【００１１】
【特許文献１】特表２０１４−５０３３１５号公報
【非特許文献】
【００１２】
【非特許文献１】A Lomax, “Intensity modulation methods for proton radiotherapy” Phys. Med. Biol. 44 (1999) 185-205.
【非特許文献２】A Lomax, “Intensity modulated proton therapy and its sensitivity to treatment uncertainties 1: the potential effects of calculation uncertainties” Phys. Med. Biol. 53 (2008) 1027-1042
【非特許文献３】A Lomax, “Intensity modulated proton therapy and its sensitivity to treatment uncertainties 2: the potential effects of inter-fraction and inter-field motions” Phys. Med. Biol. 53 (2008) 1043-1056
【発明の概要】
【発明が解決しようとする課題】
【００１３】
スキャニング法の利点を活かした治療法として、強度変調陽子線治療（ＩＭＰＴ：Ｉｎｔｅｎｓｉｔｙ  Ｍｏｄｕｌａｔｅｄ  Ｐｒｏｔｏｎ  Ｔｈｅｒａｐｙ）がある。このＩＭＰＴは、照射方向毎に不均一な線量分布を形成し、全照射方向からの線量分布を足し合わせることにより、線量を低く抑えるべき臓器（重要臓器）への照射を極力抑制しながら、腫瘍領域に所望の線量分布を形成することを可能とするものである。
【００１４】
しかしながら、ＩＭＰＴでは、複数の照射方向から不均一な線量分布を形成し足し合わせることで所望の線量分布を形成するため、治療時の不確かさの影響を受けやすいという課題を有している。
【００１５】
具体的には、非特許文献２や非特許文献３に記載されているように、治療時の不確かさには、患者の位置決めの不確かさ（位置決め誤差）や、ＣＴ値を水等価厚に変換する際の不確かさ（飛程誤差）などの不確かさが存在する。これらの不確かさが生じた場合、重要臓器の線量増加や、照射位置付近に存在する骨等の高密度物質による標的の線量低下の発生により、患者体内での線量分布が悪化することが懸念される。
【００１６】
従って、ＩＭＰＴの治療計画を作成する場合には、所望の線量分布を満たしているかだけでなく、治療時の不確かさに対するプランのロバスト性も同時に考慮して治療計画を作成することが望まれる。
【００１７】
治療時の不確かさの影響を治療計画作成時に考慮する方法として、目的関数に線量分布のロバスト性を表す項（以下、ロバスト項）を追加する方法が提案されている（非特許文献３参照）。この例として、ワーストケース最適化法が挙げられる。
【００１８】
ワーストケース最適化法では、誤差の発生条件を予め仮定しておき、複数の誤差発生条件下での線量分布を計算し、誤差発生条件下での線量評価点ｉにおける線量値と処方線量ｐの乖離を計算し、その最大値の総和をロバスト項ＦＲとして定義する。ロバスト項は次式（２）で定義される。
【００１９】
【数２】
2018187089.tif 000004
【００２０】
ここで、ｄｉｃは誤差発生条件ｃでの線量評価点ｉの線量値を表し、ｗはロバスト項の重要度を表す。
【００２１】
このロバスト項と式（１）の線量制約項を足し合わせた式を目的関数と設定し、目的関数が最小になるよう最適化することで治療時の不確かさの線量分布への影響を抑制した治療計画の作成が可能となる。また、ロバスト項の重要度ｗに大きな値を設定するほど、線量分布のロバスト性を重視した分布が導かれる。
【００２２】
ＩＭＰＴの治療計画を作成する場合、最適化計算に用いる目的関数の線量制約項とロバスト項の重み付けのバランスが重要となる。線量制約項を重視した場合、線量分布は処方した分布に近づくが、治療時の不確かさに弱い線量分布が導かれる可能性がある。従って、ＩＭＰＴの治療計画を作成する場合、最適化計算の結果得られた照射スポットを用いて線量計算を実施し、複数の誤差発生条件において、ＤＶＨ（Ｄｏｓｅ  Ｖｏｌｕｍｅ  Ｈｉｓｔｏｇｒａｍ）・線量分布を計算しロバスト性を評価する必要がある（特許文献１参照）。
【００２３】
従来の治療計画装置の治療計画の作成フローを図１に示す。図１に示すように、開始後、操作者は、治療計画装置に対してロバスト項のウエイトを設定する（ステップＳ１０１）。次いで、照射量の最適化計算の実行を指示する（ステップＳ１０２）。その後、計算，表示された線量分布計算結果およびロバスト性を評価する（ステップＳ１０３）。次いで、ステップＳ１０３で評価された線量分布が目標通りか否かを判定する（ステップＳ１０４）。目標通りであると判定されたときは処理を終了し、目標通りでないと判定されたときはステップＳ１０１に処理を戻し、再度ロバスト項のウエイトの設定からやり直す。
【００２４】
このように、従来の治療計画装置では、ロバスト性が所望の条件を満たしていなければ、試行錯誤的にロバスト項のウエイトを変更しては再度ロバスト性を評価し、適切な線量制約項とロバスト項のバランスを得るまで、これを繰り返す必要があった。そのため、治療時の不確かさに対するロバスト性を考慮した治療計画を簡便に作成することが難しかった。
【００２５】
本発明は、治療時の不確かさに対するロバスト性を考慮した治療計画を従来より簡便に作成することができる治療計画装置を提供することを目的とする。
【課題を解決するための手段】
【００２６】
上記課題を解決するために、例えば特許請求の範囲に記載の構成を採用する。
【００２７】
本発明は、上記課題を解決する手段を複数含んでいるが、その一例を挙げるならば、放射線治療の治療計画を作成する治療計画装置であって、標的に照射される放射線の線量分布のロバスト性に関連するパラメータを変更・入力する入力部と、指定された数だけロバスト性に関連するパラメータを変化させた線量分布を予め演算し、前記入力部で入力されたパラメータが最も近い線量分布から入力されたパラメータでの線量分布を補間演算し、補間演算によって求めた線量分布からＤＶＨおよび誤差が発生する条件下におけるＤＶＨであるＤＶＨバンドを演算する演算部と、前記演算部で演算された前記ＤＶＨおよび前記ＤＶＨバンドを表示する表示部と、を備えたことを特徴とする。
また、本発明は、標的に照射される放射線の線量分布のロバスト性に関連するパラメータを変更・入力する入力部と、前記入力部で入力されたパラメータにおける線量分布を演算し、演算した線量分布からＤＶＨおよび誤差が発生する条件下におけるＤＶＨであるＤＶＨバンドを演算する演算部と、前記演算部で演算された前記ＤＶＨおよび前記ＤＶＨバンドを表示する表示部と、を備え、前記表示部には、前記パラメータを変更・入力するための調整部が表示され、前記入力部を操作して前記調整部を変更することで前記パラメータの変更・入力を行うことを特徴とする。
【発明の効果】
【００２８】
本発明によれば、治療時の不確かさに対するロバスト性を考慮した治療計画を従来より簡便に作成することが可能となる。
【図面の簡単な説明】
【００２９】
【図１】一般的な治療計画装置を用いたときの、ロバスト性を考慮した治療計画を立案するまでの流れを表すフロー図である。
【図２】本発明の実施例１の治療計画装置の構成を示す説明図である。
【図３】実施例１の治療計画装置を用いたときの、ロバスト性を考慮した治療計画を立案するまでの処理の流れを示すフロー図である。
【図４】実施例１の治療計画装置による、ロバスト性を考慮した治療計画を作成する際の処理を説明するフロー図である。
【図５】実施例１の治療計画装置を用いたときの、プラン候補データベースを作成するまでの処理の流れを示すフロー図である。
【図６】実施例１の治療計画装置による、ＣＴプラン候補データベースを作成する際の処理を説明するフロー図である。
【図７】ＣＴ画面上で標的領域および重要臓器を入力し、登録した状態を示した図である。
【図８】実施例１の治療計画装置における、線量制約項とロバスト項のバランスを調整するためのＧＵＩ（Ｇｒａｐｈｉｃａｌ  Ｕｓｅｒ  Ｉｎｔｅｒｆａｃｅ）を示した説明図である。
【図９】実施例１の治療計画装置における、ＤＶＨバンド算出時における処理を説明するフロー図である。
【図１０】実施例１の治療計画装置における、最終的な治療計画作成時の処理を説明するフロー図である。
【図１１】実施例１の治療計画装置における、各ＤＶＨバンドの情報を参照した場合のＧＵＩを示した説明図である。
【図１２】実施例２の治療計画装置における、線量制約項とロバスト項のバランスを調整するためのＧＵＩを示した説明図である。
【発明を実施するための形態】
【００３０】
以下に本発明の治療計画装置と、この治療計画装置を用いた治療計画の計画方法の実施例を、図面を用いて説明する。
【００３１】
＜実施例１＞  
本発明の治療計画装置およびこの治療計画装置を用いた治療計画の計画方法の実施例１を、図２乃至図１１を用いて説明する。図２に、本実施例の治療計画装置２０１の全体構成を示す。
【００３２】
本実施例の治療計画装置２０１は、スキャニング照射法による粒子線治療の治療計画を立案する装置である。図２に示すように、治療計画装置２０１は、入力装置（入力部）２０２と、表示装置（表示部）２０３と、メモリ２０４と、演算処理装置（演算部）２０５と、データ格納装置（記憶部）２０６と、通信装置２０７と、を備えている。治療計画装置２０１は、ネットワークを介してデータサーバ２０８と接続されている。具体的には、治療計画装置２０１内の通信装置２０７が、ネットワークを介してデータサーバ２０８に接続されており、通信装置２０７の制御に基づいてデータの授受を行う。
【００３３】
入力装置２０２は、治療計画を作成する際に、操作者が各種情報や各種処理の実行，設定変更，終了を入力するための装置であり、例えばキーボードやマウスである。
【００３４】
表示装置２０３は、治療計画を作成する際に必要な各種情報や各種処理の実行，設定変更，終了を入力する際に、操作者に情報などを提供するための表示装置である。
【００３５】
メモリ２０４は、後述する演算処理装置２０５における各種の演算処理の際に用いる情報を一時的に記憶する記憶装置である。
【００３６】
演算処理装置２０５は、最適化計算によりスポットの照射量を算出する主演算部２０５Ａと、データ格納装置２０６に保存されたデータからＤＶＨおよびそのときの不確かさ発生時のＤＶＨであるＤＶＨバンドを算出するＤＶＨバンド算出部２０５Ｂとを含む。演算処理装置２０５は、入力装置２０２や表示装置２０３、メモリ２０４、データ格納装置２０６、通信装置２０７に接続されている。
【００３７】
詳しくは後述するが、本実施例の演算処理装置２０５は、ＤＶＨバンド算出部２０５Ｂによって、ロバスト性に関連するパラメータ（本実施例では、処方線量からのずれを数値化した目的関数中のロバスト項の重要度）を変化させた線量分布からなるプラン候補データを指定された数だけ演算する。また、スライダーバー８０１Ｂ（図８参照）上のスライダー８０１Ａ（図８参照）で指定されたパラメータが最も近いプラン候補データから、入力されたパラメータでの線量分布を補間により求める。そして補完により求めた線量分布からＤＶＨおよび不確かさ発生時のＤＶＨであるＤＶＨバンドを演算して、表示装置２０３に出力する。
【００３８】
また、演算処理装置２０５は、主演算部２０５Ａによって、線量分布を演算する際に、補間によって間接的に求めたＤＶＨに基づいて線量分布を演算する。
【００３９】
また、演算処理装置２０５は、入力装置２０２が操作されてあるＤＶＨバンドが選択されたときは、ＤＶＨバンド算出部２０５Ｂによって、そのＤＶＨバンドの発生条件や、ＤＶＨとの差分値を表示装置２０３上に表示するよう演算処理および制御する。
【００４０】
また、演算処理装置２０５は、ＤＶＨバンド算出部２０５Ｂによって、ＤＶＨの規格化処理を行う。例えば、最も誤差が発生したときのＤＶＨハンドが選択されたときは、そのＤＶＨバンドをＤＶＨとして表示するよう規格化処理し、表示装置２０３上に表示するよう演算処理および制御を行う。
【００４１】
データ格納装置２０６は、治療計画装置２０１内の各装置の処理に用いられる各種の情報を記憶する記憶装置である。本実施例のデータ格納装置２０６では、指定された数だけ演算処理装置２０５において演算されたデータ候補プランを記憶する。
【００４２】
次に、図３乃至図１１を参照して、本実施例に係る治療計画装置２０１を用いた治療計画の計画方法について治療計画装置２０１内の各装置の機能・動作を絡めて説明する。
【００４３】
まず、治療計画を作成する場合の操作者の処理フローと治療計画装置２０１の処理フローを図３および図４を参照して以下説明する。治療計画を作成する場合の操作者の処理フローを図３に示し、治療計画装置２０１の処理フローを図４に示す。
【００４４】
本実施例の治療計画装置２０１では、線量制約と線量分布のロバスト性のバランスを調整しながら治療計画を簡便に作成するため、治療計画作成の処理フローは、大きく３つのステップから構成される。
【００４５】
一つ目のステップは、ロバスト項の重要度を変化させた複数のプラン候補のデータベースを作成するステップである。操作者がプラン候補データの作成を指示する（ステップＳ３０１）と、治療計画装置２０１はプラン候補データベースの作成を開始する（ステップＳ４０１）。
【００４６】
ステップＳ４０１におけるプラン候補データの作成が完了すると、操作者は表示装置２０３に表示されたＤＶＨやＤＶＨバンドを確認しながら、ロバスト項と線量制約項のバランスを調整するステップへ移る。本ステップでは、治療計画装置２０１はデータベースに登録したプラン候補を基に、任意のロバスト項と線量制約項のバランスでのＤＶＨおよびＤＶＨバンドを算出し、表示装置に出力する（ステップＳ４０２）。
【００４７】
操作者は、ステップＳ４０２で表示されたＤＶＨおよびＤＶＨバンドを確認しながら、操作者が所望するロバスト項と線量制約項のバランスを変更して（ステップＳ３０２）、ＤＶＨおよびＤＶＨバンドは目標通りか否かを判定する（ステップＳ３０３）。目標通りであると判定したら処理をステップＳ３０４に進め、目標通りでないと判定したら処理をステップＳ３０１に戻す。ロバスト項と線量制約項のバランス決定後、操作者は最終的なプランの作成指示を出す（ステップＳ３０４）。
【００４８】
最後のステップでは、治療計画装置２０１は、操作者が決定した線量分布、乃至ロバスト項の重要度に基づいて、最終的なプランとなる治療計画を作成する（ステップＳ４０３）。
【００４９】
以下で、各ステップの処理の詳細を示す。
【００５０】
まず初めに、上述のステップＳ３０１，Ｓ４０１のプラン候補データベースの作成フローの詳細について説明する。プラン候補データベースを作成するまでの操作者の手順の流れを図５に、プラン候補データを作成する際の治療計画装置２０１の処理フローを図６に示す。
【００５１】
まず、操作者である医療従事者（技師や医師）は、治療計画を作成する患者の治療計画用ＣＴ画像に関するデータ（以下、ＣＴデータ）を選択する（ステップＳ５０１）。選択されるＣＴデータは、ボクセルと呼ばれる小さな領域ごとにＣＴ値が記録された３次元のデータである。治療計画装置２０１は、このＣＴデータを利用して治療計画を立案する。操作者は、入力装置２０２から患者情報（患者ＩＤ）を入力すると、治療計画装置２０１は患者ＩＤに相当する患者の治療計画情報の作成を開始する。
【００５２】
治療計画装置２０１では、まず、入力装置２０２は、入力された患者ＩＤを演算処理装置２０５に出力する。演算処理装置２０５は、入力された患者ＩＤに基づいて、データサーバ２０８から対象となる患者のＣＴデータを読み込む。すなわち、治療計画装置２０１は、通信装置２０７に接続されたネットワークを通じて、データサーバ２０８から患者ＩＤに対応する患者のＣＴデータを受け取り、メモリ２０４に記憶させる。治療計画装置２０１は、受け取ったＣＴデータに基づいて治療計画用のＣＴ画像を作成し、表示装置２０３に表示させる（ステップＳ６０１）。表示装置２０３は、患者の患部を含む領域を複数の層に分割した各スライス（各層）での画像を表示する。
【００５３】
操作者は、表示装置２０３に表示されたＣＴ画像を確認しながら、入力装置２０２を用いて、ＣＴ画像のスライス毎に、標的として指定すべき領域（標的領域）を入力する。この標的領域とは、例えば、操作者が患者のガン患部であると判断した領域を含む、粒子線を照射すべきと判断した領域である。
【００５４】
全てのスライスに対する標的領域の入力が終了すると、操作者は入力装置２０２から入力終了信号を入力する（ステップＳ５０２）。治療計画装置２０１はこの入力終了信号を受け取ると、全てのスライスでの標的領域の情報を、メモリ２０４に記憶して登録する。メモリ２０４に登録される情報は、操作者が入力した標的領域を示す３次元の位置情報である。照射線量を極力抑えるべき重要臓器が標的領域の近傍に存在する場合や、他に評価や制御が必要となる領域がある場合、操作者は表示装置２０３に表示された画像情報に基づいて、これらの重要臓器等の位置情報も入力装置２０２から入力する。この重要臓器等の位置情報は、標的領域の情報と同様、メモリ２０４に記憶して登録される。図７に、ＣＴデータに基づいて生成された、患部を含む任意のスライス（層）７０１において、入力された標的領域７０２および重要臓器７０３等の領域を表示装置２０３の表示した一例を示す。
【００５５】
次に、操作者は、照射方向を始めとした照射パラメータおよび処方線量を指定する（ステップＳ５０３）。複数方向からの照射を行う場合には、複数の角度を選択する。操作者は、これに加えて登録された各領域への処方線量を設定する。
【００５６】
処方線量は、図７に示すような標的領域７０２であれば、その領域内が受けるべき線量の最小値、最大値を入力することも多いが、ここでは標的領域７０２に照射すべき線量値を一つ指定する。一方、重要臓器７０３に対しては許容線量を設定することが多い。この例では、重要臓器７０３に許容線量を指定する。
【００５７】
続いて、操作者はロバスト性を考慮するための治療計画立案上の不確かさの想定値を設定する（ステップＳ５０４）。本ステップで設定する治療計画立案上の不確かさには、ＣＴ画像のアーチファクトやＣＴ値―水等加厚変換テーブルの誤差に起因する飛程誤差、患者を位置決めする際に生じるセットアップ誤差などが含まれる。操作者は入力装置２０２を用いて、想定される不確かさの大きさをｍｍ単位もしくは％で入力する。以上のように設定した照射方向や処方線量、治療計画立案上の不確かさの想定値は、治療計画装置２０１のメモリ２０４に保存される（ステップＳ６０２）。
【００５８】
処方線量登録後、操作者は作成するプラン候補データベースのプラン数を設定する（ステップＳ５０５）。ここで設定したプラン数に応じて、プラン候補データベースが作成される（ステップＳ６０３〜Ｓ６０７）。
【００５９】
プラン数の設定後、操作者が計算指示を行う（ステップＳ５０６）と、治療計画装置２０１は、プラン候補データベースの作成を開始する。
【００６０】
プラン候補データベースの作成を開始すると、まず、治療計画装置２０１のＤＶＨバンド算出部２０５Ｂは、ロバスト項の重要度ｗを自動で設定し（ステップＳ６０３）、目的関数を設定する（ステップＳ６０４）。上述したように、ロバスト性を考慮するための目的関数は線量制約項（式（１））とロバスト項（式（２））の和で表される。
【００６１】
次いで、治療計画装置２０１は、ＤＶＨバンド算出部２０５Ｂにおいて、作成するプラン候補ごとに、目的関数のロバスト項の重要度ｗを変化させて、照射量の最適化計算を実行する（ステップＳ６０５）。
【００６２】
最適化計算終了後、ＤＶＨバンド算出部２０５Ｂは、最適化計算結果をプラン候補データとしてデータ格納装置２０６に保存する（ステップＳ６０６）。ここで保存されるデータには、ロバスト項の重要度、ロバスト項および線量制御項の目的関数値、スポット照射量、目的関数の計算に用いた線量評価点情報（線量値および座標値）が含まれる。また、線量ボクセルを保存データの中に含めたい場合は、最適化計算実施後算出されたスポット照射量に基づいて線量計算を実施する必要がある。
【００６３】
次いで、治療計画装置２０１は、指定されたプラン候補データ数の演算が終了したか否かを判定し（ステップＳ６０７）、終了したと判定されたときは処理を終了し、終了していないと判定されたときは処理をステップＳ６０３に戻す。
【００６４】
次に、ＤＶＨおよびＤＶＨバンドが目標通りか否かを判定するステップＳ３０２、Ｓ３０３およびＳ４０２の詳細を説明する。
【００６５】
ステップＳ４０２では、治療計画装置２０１のＤＶＨバンド算出部２０５Ｂは、操作者が指示したロバスト項の重要度に従って変化するＤＶＨと先のステップＳ５０４，Ｓ６０２で設定された不確かさの想定値に基づいてＤＶＨバンド（誤差発生条件下で計算したＤＶＨ）とをステップＳ４０１で作成した候補プランデータベースを用いて算出し、表示装置２０３に表示する。表示装置２０３にＤＶＨ８０２Ａ，８０２ＢおよびＤＶＨバンド８０３Ａ，８０３Ｂが表示された状態の一例を図８に示す。
【００６６】
図８に示す画面では、操作者が入力装置２０２を用いてスライダーバー８０１Ｂ上のスライダー８０１Ａを操作することで、ロバスト項の重要度の設定値を変化させることが出来る。それに伴って表示される標的のＤＶＨ８０２ＡおよびＤＶＨバンド８０３Ａや、危険臓器（ＯＡＲ：Ｏｒｇａｎ  Ａｔ  Ｒｉｓｋ）のＤＶＨ８０２ＢおよびＤＶＨバンド８０３Ｂが変化する。従って、操作者はＤＶＨ８０２Ａ，８０２ＢおよびＤＶＨバンド８０３Ａ，８０３Ｂの変化を見ながら、スライダーバー８０１Ｂ上のスライダー８０１Ａを操作することで、適切なロバスト項と線量制約項のバランスを簡便に決定することが可能となる。
【００６７】
本実施例では、治療計画装置２０１が、スライダーバー８０１Ｂ上のスライダー８０１Ａで指定されたロバスト項の重要度に対する、ＤＶＨおよびＤＶＨバンドを算出、表示するための流れを図９に示すフローを用いて以下説明する。図９にフロー図を示す。
【００６８】
操作者がスライダー８０１Ａを移動させて任意のロバスト項の重要度を指定した場合、治療計画装置２０１のＤＶＨバンド算出部２０５Ｂは、まず指定値近傍のロバスト項の重要度を持つプラン候補を、データ格納装置２０６に格納されているプラン候補データ群から探索し、メモリ２０４に記憶する（ステップＳ９０１）。
【００６９】
続いて、治療計画装置２０１のＤＶＨバンド算出部２０５Ｂは、ＤＶＨバンドを算出する。ＤＶＨバンドを算出する方法として、プラン候補データとして保存されている線量ボクセルデータを用いる方法と、関心領域内に配置された線量評価点の線量値データを用いる方法とがある。本実施例では、関心領域内に配置した線量評価点の線量値データを元にＤＶＨバンドを算出する場合を例として説明する。
【００７０】
まず、治療計画装置２０１のＤＶＨバンド算出部２０５Ｂは、ステップＳ９０１で探索したプラン候補データから、関心領域内に配置された線量評価点の線量値データおよび、線量制約項とロバスト制約項の目的関数値を呼び出す（ステップＳ９０２）。
【００７１】
次いで、呼び出したプラン候補と操作者が設定したロバスト項の重要度との目的関数空間上の距離を用いて、各線量評価点での線量値データを補間することで、設定された任意のロバスト項の重要度に対する線量評価点での線量値データ（補間線量値データ）を取得する（ステップＳ９０３）。
【００７２】
次いて、線量評価点を関心領域毎に分別し、関心領域に所属している線量評価点の補間線量値データからヒストグラムを作成し、このヒストグラムを高線量側から累積することでＤＶＨを作成する。この処理を全ての誤差発生条件に対して実行することで、ＤＶＨバンドを作成する（ステップＳ９０４）。
【００７３】
ＤＶＨバンドを作成した後は、作成したＤＶＨおよびＤＶＨバンドを表示装置２０３に表示する（ステップＳ９０５）。ここで、表示するＤＶＨバンドは、誤差発生条件毎に計算したＤＶＨを全て表示しても良いし、全ての誤差発生条件で計算したＤＶＨの各線量値の最大体積値と最小体積値を抽出し作成した２本の線（ＤＶＨ）を表示しても良い。
【００７４】
また、図１１に示すように、本実施例の治療計画装置２０１では、演算処理装置２０５のＤＶＨバンド算出部２０５Ｂによって、入力装置２０２を用いてＤＶＨバンド８０３Ａ，８０３Ｂ上にポインタ１１０１を移動させることで、各計算条件に対応した誤差発生条件や、指定された誤差発生条件と誤差無しの条件とのＤＶＨの差分値をダイアログ１１０２上に表示させることが可能となる。図１１に各ＤＶＨバンドに対応したダイアログを表示した状態を示す。
【００７５】
また、操作者がロバスト項の重要度の調整だけで、納得いくＤＶＨ８０２Ａ，８０２Ｂが得られない場合は、規格化処理によりＤＶＨ８０２Ａ，８０２Ｂを再スケールする。更に、この再スケールでは、ＤＶＨバンド（誤差発生時のＤＶＨ）をＤＶＨとして用いることが可能である。
【００７６】
このような規格化処理を実施する場合、操作者は、入力装置２０２を用いて、図８や図１１中の規格化情報設定部８０４で対象とするＤＶＨ（誤差無しのＤＶＨもしくはワーストケースのＤＶＨ）を選択し、規格化方法（Ｄ９５を処方線量の何％にするか等）を選択する。ここで、ワーストケースのＤＶＨが選択された場合、治療計画装置２０１のＤＶＨバンド算出部２０５Ｂは、規格化条件から最も離れている誤差発生条件下でのＤＶＨをＤＶＨバンドの中から探索する。例えば、図８に表示されている標的のＤＶＨバンドに対して「Ｄ９５を処方線量の９５％にする」との規格化条件を設定した場合、ＤＶＨのスケール量を算出するＤＶＨとして、ＤＶＨバンド下端のＤＶＨを選択する。そして、選択したＤＶＨを用いてスケール量を算出し、ＤＶＨ、ＤＶＨバンドおよび線量分布を再スケールし、表示装置２０３上に表示する。
【００７７】
次に、上述のステップＳ３０４，Ｓ４０３における最終的な治療計画の作成フローの詳細について説明する。
【００７８】
まず、操作者が入力装置２０２によりロバスト項と線量制約項のバランスを決定した後、治療計画装置２０１はＤＶＨ計算に用いた線量評価点データをメモリ２０４に保存する。データ保存後、最終的な治療計画を作成するステップＳ４０３に移行する。
【００７９】
ステップＳ４０２の処理によって表示されるＤＶＨやＤＶＨバンドは、データ格納装置２０６に保存されたプラン候補データベースの線量分布データから補間により算出されたものであり、各スポットの照射量が実際に算出されているわけではない。このため、実際に照射量を算出するステップＳ４０３の処理を行うことが望ましい。
【００８０】
そこで、操作者が最終計算の実行を指示すると、治療計画装置２０１の演算処理装置２０５の主演算部２０５Ａは、表示装置２０３上に表示されているＤＶＨおよびＤＶＨバンドを実現するスポットの照射量を最適化計算により算出する。
【００８１】
スポット照射量を算出するための目的関数の定義方法は、ステップＳ４０２のＤＶＨバンドを計算する際に用いた、線量評価点ｉでの線量値を用いて、目的関数を新たに定義する方法である。図１０に処理フローを示す。
【００８２】
まず、主演算部２０５Ａは、メモリ２０４に保存されている補間線量値データを呼び出し（ステップＳ１００１）、呼び出された線量値を各線量評価点での目標線量として設定する（ステップＳ１００２）。
【００８３】
続いて、主演算部２０５Ａは、最適化計算に使用する目的関数を設定する（ステップＳ１００３）。ロバスト性を考慮して最適化された線量分布では、照射方向毎の線量分布には、危険臓器の手前に高線量域を形成しない点や線量分布の勾配が緩やかである点等の特徴を持つ。そのため、照射方向毎の分布の特徴を失わないよう、次式（３）で目的関数を定義する。
【００８４】
【数３】
2018187089.tif 000005
【００８５】
ここで、Ｐｉは線量評価点ｉの補間線量値を表わし、ｄｉ，ｆおよびＰｉ，ｆは照射方向ｆにおける線量評価点ｉの線量値と補間線量値を表わす。
【００８６】
主演算部２０５Ａは、この式（３）を目的関数として最適化計算を実施する（ステップＳ１００４）。これにより、各線量評価点の線量を補間線量値に近付けることが出来、ステップＳ４０２で操作者が所望した線量分布を得るためのスポット照射量を算出することが出来る。
【００８７】
最適化計算によりスポット照射量が定まると、主演算部２０５Ａは、最終的に得られたスポット位置と各スポットへの照射量を用いて、線量分布を計算する（ステップＳ１００５）。計算結果は、表示装置２０３に表示される（ステップＳ１００６）。操作者は、指定した線量が標的領域に過不足なく与えられているのかを表示装置２０３上で確認することが出来る。
【００８８】
次に、本実施例の効果について説明する。
【００８９】
上述したように、強度変調陽子線治療の治療計画を作成する場合は、治療計画立案時の不確かさへの線量分布のロバスト性と、処方として設定した線量制約の達成度のバランスが重要となる。ここで、従来は、ロバスト性が所望の条件を満たしていなければ、試行錯誤的にロバスト項の重要度を変更しては再度ロバスト性を評価していた。このため、適切な線量制約の達成度とロバスト性のバランスを得るまで繰り返し線量分布の演算を行う必要があり、ロバスト性を考慮した治療計画の作成が容易でなかった。
【００９０】
これに対し、上述した本発明の実施例１の陽子線治療の治療計画を作成する治療計画装置２０１では、ロバスト項の重要度ｗを変化させて最適化計算を実施し、得られた線量分布を求めておく。操作者がロバスト項の重要度ｗを変更・設定すると、設定されたロバスト項の重要度ｗに最も近いパラメータを用いて計算した線量分布を探索し、設定された重要度ｗにおける線量分布を補間により求める。その上で、求めた線量分布からＤＶＨ８０２Ａ，８０２ＢおよびＤＶＨバンド８０３Ａ，８０３Ｂを求め、表示装置２０３上に表示するものである。
【００９１】
これにより、操作者は、ロバスト項の重要度ｗを変更しながらＤＶＨ８０２Ａ，８０２ＢやＤＶＨバンド８０３Ａ，８０３Ｂを確認することができる。また予め求めた線量分布等から補間演算により速やかに新たに選択したロバスト項の重要度ｗにおける８０２Ａ，８０２ＢやＤＶＨバンド８０３Ａ，８０３Ｂが表示されるため、適切な線量制約の達成度とロバスト性のバランスを得る際の試行錯誤が従来に比べて非常に容易になり、治療時の不確かさに対するロバスト性を考慮した治療計画の作成が従来に比べて容易となる。
【００９２】
また、演算処理装置２０５は、補間演算されたＤＶＨ８０２Ａ，８０２Ｂに基づいて線量分布を演算することで、治療時の不確かさに対するロバスト性を考慮した状態で、より高い精度での線量分布の算出が可能となる。
【００９３】
更に、表示装置２０３は、選択されたＤＶＨバンド８０３Ａ，８０３Ｂの発生条件をダイアログ１１０２上に表示することにより、表示された情報を操作者が確認することで、線量分布が悪化し易い誤差発生条件を確認することが可能となる。これにより、悪化し易い条件が飛程誤差の影響かセットアップエラーによる影響か確認することが出来るため、これをプラン決定時の判断および治療時の対応に取り入れることが可能となり、ロバスト性がより考慮された治療計画の作成が可能となる。例えば、セットアップエラーで治療計画の線量分布が悪化し易い計画が作成された場合は、治療時に、対応するセットアップエラーの方向の位置決めを慎重に実施する等の対応を取ることが可能となる。
【００９４】
また、演算処理装置２０５は、操作者の指示に基づいてＤＶＨ８０２Ａ，８０２Ｂを規格化処理し、表示装置２０３は、規格化処理されたＤＶＨ８０２Ａ，８０２Ｂとその時のＤＶＨバンド８０３Ａ，８０３Ｂとを表示することで、操作者が納得のいくＤＶＨ８０２Ａ，８０２Ｂとその時のＤＶＨバンド８０３Ａ，８０３Ｂをより容易に得ることが可能となる。
【００９５】
更に、演算処理装置２０５は、ＤＶＨバンド８０３Ａ，８０３ＢをＤＶＨ８０２Ａ，８０２Ｂとする規格化処理を行うことにより、より容易に操作者が納得のいくＤＶＨ８０２Ａ，８０２Ｂやその時のＤＶＨバンド８０３Ａ，８０３Ｂを得ることができる。
【００９６】
また、演算処理装置２０５において指定された数だけ演算された、ロバスト項の重要度ｗを変化させた線量分布を記憶するデータ格納装置２０６を更に備えたことで、補間演算の処理速度の向上を図ることができ、速やかな治療計画の作成に寄与することができる。
【００９７】
更に、表示装置２０３には、ロバスト項の重要度ｗを調整するためのスライダーバー８０１Ｂが表示され、入力装置２０２を操作してスライダーバー８０１Ｂ上のスライダー８０１を移動させることでロバスト項の重要度ｗの変更・入力を行うことにより、操作者が直感的にロバスト項の重要度ｗを変更，入力することができ、治療時の不確かさに対するロバスト性を考慮した治療計画をより簡便に作成することができる。
【００９８】
また、上述した本発明の実施例１の陽子線治療の治療計画を作成する治療計画装置２０１では、表示装置２０３表示されたロバスト項の重要度ｗを調整するためのスライダーバー８０１Ｂ上のスライダー８０１を移動させることでロバスト項の重要度ｗの変更・入力を行い、設定された重要度ｗにおける線量分布を求めて、求めた線量分布からＤＶＨ８０２Ａ，８０２ＢおよびＤＶＨバンド８０３Ａ，８０３Ｂを求め、表示装置２０３上に表示する。
【００９９】
これにより、操作者は、直感的にロバスト項の重要度ｗを変更しながらＤＶＨ８０２Ａ，８０２ＢやＤＶＨバンド８０３Ａ，８０３Ｂを確認することができ、同様に、適切な線量制約の達成度とロバスト性のバランスを得る際の試行錯誤が従来に比べて非常に容易になり、治療時の不確かさに対するロバスト性を考慮した治療計画の作成が従来に比べて容易になる。
【０１００】
＜実施例２＞  
本発明の実施例２の治療計画装置およびこの治療計画装置を用いた治療計画の計画方法を図１２を用いて説明する。図２乃至図１１と同じ構成には同一の符号を示し、説明は省略する。
【０１０１】
本実施例の治療計画装置は、表示装置２０３上に規格化情報設定部８０４が表示されず、演算処理装置２０５の規格化処理の機能が省略されたものである。
【０１０２】
本実施例の主演算部２０５Ａでは、スポット照射量を算出するための目的関数の定義方法として二つの方法がある。
【０１０３】
一つ目の方法は、ステップＳ４０２のＤＶＨバンドを計算する際に用いた、線量評価点ｉでの線量値を用いて目的関数を新たに定義する、実施例１で説明した方法である。
【０１０４】
二つ目の方法は、式（２）を用いる方法である。この式（２）を用いる方法の場合、ステップＳ４０２でＤＶＨバンドを表示する際に用いたプラン候補のウエイトと目的関数値から、ロバスト項のウエイトの値を推測する必要がある。
【０１０５】
その他の構成・動作は前述した実施例１の治療計画装置およびこの治療計画装置を用いた治療計画の計画方法と略同じ構成・動作であり、詳細は省略する。
【０１０６】
本発明の実施例２の治療計画装置およびこの治療計画装置を用いた治療計画の計画方法においても、前述した実施例１の治療計画装置とほぼ同様な効果が得られる。
【０１０７】
＜その他＞  
なお、本発明は、上記の実施例に限定されるものではなく、様々な変形例が含まれる。上記の実施例は本発明を分かりやすく説明するために詳細に説明したものであり、必ずしも説明した全ての構成を備えるものに限定されるものではない。
【０１０８】
例えば、上述の実施例１，２では、治療計画装置を強度変調陽子線治療に適応した例を説明したが、本発明は、ロバスト性を考慮した治療計画を作成することが必要な、強度変調放射線治療（Ｘ線治療、および炭素イオン等の重粒子線を用いる粒子線治療）に対しても好適に適用することができる。また、強度を偏重させない粒子線やＸ線による治療システムによる治療計画の作成にも本発明の治療計画装置は適用することができる。
【０１０９】
また、ロバスト性に関連するパラメータとして、上述の実施例では、処方線量からのずれを数値化した目的関数中のロバスト項の重要度を用いる場合について説明したが、ロバスト性に関連するパラメータには、ロバスト項の重要度の他に、ロバスト項の目的関数値などがある。
【０１１０】
更に、スキャニング照射法には、ある照射位置（スポット）に規定量のビームを照射後、一度ビームを停止し、次の照射すべき照射位置に移動した後に再び照射を開始するスポットスキャニング方式と、照射位置の移動中にもビームの照射を停止しないラスター方式とがある。上述の実施例では、スポットスキャニング方式を前提として説明したが、本発明の治療計画装置は、ラスター方式や他の照射方式を用いる治療の治療計画を作成する場合にも適応可能である。
【符号の説明】
【０１１１】
２０１…治療計画装置
２０２…入力装置（入力部）
２０３…表示装置（表示部）
２０４…メモリ
２０５…演算処理装置（演算部）
２０５Ａ…主演算部
２０５Ｂ…ＤＶＨバンド算出部
２０６…データ格納装置（記憶部）
２０７…通信装置
２０８…データサーバ
７０１…ＣＴデータのスライス
７０２…標的領域
７０３…重要臓器
８０１Ａ…スライダー（調整部）
８０１Ｂ…ロバスト性の重要度を調整するためのスライダーバー（調整部）
８０２Ａ，８０２Ｂ…ＤＶＨ
８０３Ａ，８０３Ｂ…ＤＶＨバンド
８０４…規格化情報設定部
１１０１…ポインタ
１１０２…ダイアログ
【図１】
2018187089.tif 000006
【図２】
2018187089.tif 000007
【図３】
2018187089.tif 000008
【図４】
2018187089.tif 000009
【図５】
2018187089.tif 000010
【図６】
2018187089.tif 000011
【図７】
2018187089.tif 000012
【図８】
2018187089.tif 000013
【図９】
2018187089.tif 000014
【図１０】
2018187089.tif 000015
【図１１】
2018187089.tif 000016
【図１２】
2018187089.tif 000017